(57)【要約】【課題】均一な画像が表示できるようにした発光表装置およびその駆動方法を提供する。【解決手段】本発明の発光表示装置の駆動方法は，１フレームを１つ以上であるｉ本のサブフレーム１ＳＦ〜４ＳＦに分割する段階と，サブフレーム期間ごとに，画像表示部に含まれる複数の走査線の中の一部の走査線に走査信号を順次供給する段階とを含み，サブフレーム期間ごとに走査信号が供給される走査線が，お互い異なるように設定されることを特徴とする。【選択図】図３
2006184846.tif 000002
【特許請求の範囲】
【請求項１】
１フレームを１つ以上であるｉ本のサブフレームに分割する段階と；
サブフレーム期間ごとに，画像表示部に含まれる複数の走査線の中の一部の走査線に走査信号を順次供給する段階と；
を含み：
前記サブフレーム期間ごとに前記走査信号が供給される走査線は，お互い異なるように設定されることを特徴とする，発光表示装置の駆動方法。
【請求項２】
前記サブフレーム期間ごとに，前記画像表示部に含まれた走査線の中の１／ｉ本の走査線に対して前記走査信号が供給されることを特徴とする，請求項１に記載の発光表示装置の駆動方法。
【請求項３】
前記サブフレーム期間において；
前記走査信号の供給を受ける画素にデータ信号が供給されることを特徴とする，請求項１または２に記載の発光表示装置の駆動方法。
【請求項４】
さらに，前記データ信号の供給を受ける画素が，前記データ信号の供給を受けるサブフレーム期間に発光しない段階を含むことを特徴とする，請求項３に記載の発光表示装置の駆動方法。
【請求項５】
前記データ信号の供給を受ける前記画素のそれぞれに含まれる発光素子に対して，該発光素子のアノード電極側に電源が接続され，該電源の電圧は，前記画素が発光しない段階において，前記発光素子が発光しないように下降することを特徴とする，請求項３または４に記載の発光表示装置の駆動方法。
【請求項６】
前記データ信号の供給を受ける前記画素のそれぞれに含まれる発光素子に対して，該発光素子のアノード電極側に電源が接続され，電源の供給が，記画素が発光しない段階において断されることを特徴とする，請求項３または４に記載の発光表示装置の駆動方法。
【請求項７】
前記画素が発光しない段階において：
前記データ信号の供給を受ける前記画素のそれぞれに含まれ，前記発光素子に流れる電流の供給始点を制御するトランジスタをターンオフさせることを特徴とする，請求項３または４に記載の発光表示装置の駆動方法。
【請求項８】
前記画素が発光しない段階において：
前記データ信号の供給を受ける前記画素のそれぞれに含まれる発光素子に対して，該発光素子のカソード電極側に電源が接続され，該電源の電圧を，前記発光素子が発光しないように上昇させることを特徴とする，請求項３または４に記載の発光表示装置の駆動方法。
【請求項９】
前記画素が発光しない段階において：
前記データ信号の供給を受ける前記画素のそれぞれに含まれる発光素子のカソード電極側に接続された電源の供給が，遮断されることを特徴とする，請求項３または４に記載の発光表示装置の駆動方法。
【請求項１０】
１フレームが３つ以上であるｉ本のサブフレームに分割される段階と；
サブフレーム期間ごとに，画像表示部に含まれる一部の画素が非発光状態に設定され，残りの画素が発光状態に設定される段階と；
を含むことを特徴とする，発光表示装置の駆動方法。
【請求項１１】
前記サブフレーム期間において：
前記非発光状態に設定された画素に対して，データ信号が供給されることを特徴とする，請求項１０に記載の発光表示装置の駆動方法。
【請求項１２】
前記サブフレーム期間ごとに，前記画像表示部に含まれた画素の１／ｉ個の画素が発光しないことを特徴とする，請求項１０または１１に記載の発光表示装置の駆動方法。
【請求項１３】
前記１フレームに含まれたサブフレーム期間ごとに，前記発光しない画素がお互い異なるように設定されることを特徴とする，請求項１０〜１２のいずれかに記載の発光表示装置の駆動方法。
【請求項１４】
前記発光状態に設定された画素の数が，前記非発光状態に設定された画素の数より多いことを特徴とする，請求項１０〜１３のいずれかに記載の発光表示装置の駆動方法。
【請求項１５】
１フレームが１つ以上であるｉ本のサブフレームに分割される段階と；
画素ごとに含まれる発光素子のアノード電極に接続される第１電源の数が前記サブフレームの数と同一に設定される段階と；
前記サブフレームごとに，画像表示部に含まれた一部の画素にデータ信号が供給される段階と；
を含み：
前記データ信号の供給を受ける一部の画素は，サブフレーム期間に発光しないことを特徴とする，発光表示装置の駆動方法。
【請求項１６】
前記サブフレーム期間ごとに，前記画像表示部に含まれた画素の１／ｉ個の画素に前記データ信号が供給されることを特徴とする，請求項１５に記載の発光表示装置の駆動方法。
【請求項１７】
前記画像表示部に含まれた画素のそれぞれは，前記ｉ個のサブフレームのうち一つ以上のサブフレーム期間には発光せず，その他のサブフレーム期間には発光することを特徴とする，請求項１５または１６に記載の発光表示装置の駆動方法。
【請求項１８】
前記画像表示部にｉ個の第１電源が含まれ，前記同一のサブフレーム期間に発光しない画素は，前記ｉ個の第１電源のうち同一の第１電源に接続されることを特徴とする，請求項１５〜１７のいずれかに記載の発光表示装置の駆動方法。
【請求項１９】
前記１フレームのうちお互い異なるサブフレーム期間に発光しない画素は，前記ｉ個の第１電源のうちお互い異なる第１電源に接続されることを特徴とする，請求項１８に記載の発光表示装置の駆動方法。
【請求項２０】
１フレームが１つ以上であるｉ本のサブフレームに分割される発光表示装置において；
走査線およびデータ線と；
前記走査線および前記データ線に接続されるように位置した複数の画素を含む画像表示部と；
サブフレーム期間ごとに，前記走査線の中の一部の走査線に走査信号を順次供給する走査駆動部と；
前記走査信号に対応するデータ信号を供給するためのデータ駆動部と；
前記画素に含まれた発光素子のアノード電極側に接続され，前記サブフレームの数と同一の数に設定される第１電源と；
を備え：
前記サブフレーム期間ごとに前記走査信号が供給される走査線は，お互い異なるように設定されることを特徴とする，発光表示装置。
【請求項２１】
前記走査駆動部は，前記サブフレーム期間ごとに，前記画像表示部に含まれた走査線の１／ｉ本の走査線に前記走査信号を供給することを特徴とする，請求項２０に記載の発光表示装置。
【請求項２２】
前記データ駆動部は，前記サブフレーム期間において前記走査信号の供給を受ける走査線に接続された画素に対して，前記データ信号を供給することを特徴とする，請求項２０または２１に記載の発光表示装置。
【請求項２３】
前記画像表示部はｉ個の第１電源を含み，前記同一のサブフレーム期間に前記データ信号の供給を受ける画素は，同一の第１電源に接続されることを特徴とする，請求項２０〜２２のいずれかに記載の発光表示装置。
【請求項２４】
前記ｉ個の第１電源のうち，前記データ信号が供給される画素に接続された第１電源の電圧値は，前記データ信号が供給されるサブフレーム期間において，前記画素が発光しないように下降することを特徴とする，請求項２３に記載の発光表示装置。
【請求項２５】
さらに，前記ｉ個の第１電源のそれぞれに接続されるｉ個のトランジスタを備えることを特徴とする，請求項２３に記載の発光表示装置。
【請求項２６】
前記ｉ個のトランジスタのうち，前記データ信号が供給される画素に接続されたトランジスタは，前記データ信号が供給されるサブフレーム期間にターンオフされ，その他のトランジスタは，ターンオンされることを特徴とする，請求項２５に記載の発光表示装置。
【請求項２７】
さらに，前記画素に含まれた発光素子のカソード電極側に接続されるｉ個の第２電源を備えることを特徴とする，請求項２０〜２６のいずれかに記載の発光表示装置。
【請求項２８】
前記同一のサブフレーム期間に前記データ信号の供給を受ける画素は，同一の第２電源に接続されることを特徴とする，請求項２７に記載の発光表示装置。
【請求項２９】
前記ｉ個の第２電源のうち，前記データ信号が供給される画素に接続された第２電源の電圧値は，前記データ信号が供給されるサブフレーム期間において，前記画素が発光しないように上昇することを特徴とする，請求項２７または２８に記載の発光表示装置。
【請求項３０】
さらに，前記ｉ個の第２電源それぞれに接続されるｉ個のトランジスタを備えることを特徴とする，請求項２７〜２９のいずれかに記載の発光表示装置。
【請求項３１】
前記ｉ個のトランジスタのうち，前記データ信号が供給される画素に接続された一つのトランジスタは，前記データ信号が供給されるサブフレーム期間にターンオフされ，その他のトランジスタは，ターンオンされることを特徴とする，請求項３０に記載の発光表示装置。
【請求項３２】
前記画素それぞれは，
前記走査線およびデータ線に接続され，前記走査信号によって制御される第１トランジスタと；
前記データ信号に対応して前記発光素子に供給される電流を制御するための第２トランジスタと；
前記第２トランジスタに接続され，前記データ信号に対応する電圧を充電するためのキャパシタと；
発光制御線に接続され，前記走査駆動部からの発光制御信号が供給されるときにはターンオフされ，その他の期間にはターンオンされる第３トランジスタと；
を備えることを特徴とする，請求項２３に記載の発光表示装置。
【請求項３３】
前記発光制御線は，前記走査線に並んで形成され，前記サブフレームの数と同一のｉ個に設定されることを特徴とする，請求項３２に記載の発光表示装置。
【請求項３４】
前記同一のサブフレーム期間に前記データ信号の供給を受ける画素は，同一の発光制御線に接続されることを特徴とする，請求項３３に記載の発光表示装置。
【請求項３５】
前記走査駆動部は，前記データ信号の供給を受ける画素が発光しないように，前記サブフレーム期間ごとに前記ｉ本の発光制御線のいずれか一つに発光制御信号を供給することを特徴とする，請求項３４に記載の発光表示装置。
【発明の詳細な説明】
【技術分野】
【０００１】
本発明は，発光表示装置およびその駆動方法に係り，特に，均一な画像が表示できるようにした発光表示装置およびその駆動方法に関するものである。
【背景技術】
【０００２】
近年，陰極線管(Cathode Ray Tube)の欠点とされる重量と体積との低減を図った各種平板表示装置が開発されている。平板表示装置として，液晶表示装置(Liquid Crystal Display)，電界放出表示装置(Field Emission Display)，プラズマ表示パネル(Plasma Display Panel)および発光表示装置(Light Emitting Display)などが知られている。
【０００３】
平板表示装置のうち発光表示装置は，電子と正孔の再結合によって光を発生する自発光素子を用いた発光表示装置である。このような発光表示装置は，応答速度が速く，且つ低い消費電力で駆動されるという利点がある。一般的な発光表示装置は，画素ごとに形成されるトランジスタを用いて，データ信号に対応する電流を発光素子に対して供給することにより，発光素子から光を発光させる構造となっている。
【０００４】
図１は，従来の一般的な発光表示装置を示す図である。
【０００５】
従来の発光表示装置は，図１に示すように，走査線Ｓ１〜Ｓｎとデータ線Ｄ１〜Ｄｍとの交差領域に形成された画素４０を含む画像表示部３０と，走査線Ｓ１〜Ｓｎを駆動するための走査駆動部１０と，データ線Ｄ１〜Ｄｍを駆動するためのデータ駆動部２０と，走査駆動部１０およびデータ駆動部２０を制御するタイミング制御部５０とを備えている。
【０００６】
走査駆動部１０は，タイミング制御部５０からの走査駆動制御信号ＳＣＳに応答して走査信号を生成し，生成された走査信号を走査線Ｓ１〜Ｓｎに順次供給する。また，走査駆動部１０は，走査駆動制御信号ＳＣＳに応答して発光制御信号を生成し，生成された発光制御信号を発光制御線Ｅ１〜Ｅｎに順次供給する。
【０００７】
データ駆動部２０は，タイミング制御部５０から送られるデータ駆動制御信号ＤＣＳに応じてデータ信号を生成し，生成されたデータ信号をデータ線Ｄ１〜Ｄｍに供給する。この際，データ駆動部２０は，１周期（１水平期間）ごとに１水平ライン分ずつのデータ信号をデータ線Ｄ１〜Ｄｍに供給する。
【０００８】
タイミング制御部５０は，外部から供給される同期信号に対応してデータ駆動制御信号ＤＣＳおよび走査駆動制御信号ＳＣＳを生成する。タイミング制御部５０から生成されたデータ駆動制御信号ＤＣＳはデータ駆動部２０に供給され，走査駆動制御信号ＳＣＳは走査駆動部１０に供給される。そして，タイミング制御部５０は，外部から供給されるデータＤａｔａを再整列してデータ駆動部２０に供給する。
【０００９】
画像表示部３０は，外部より供給される第１電源ＥＬＶＤＤおよび第２電源ＥＬＶＳＳを受ける。ここで，第１電源ＥＬＶＤＤおよび第２電源ＥＬＶＳＳは，それぞれの画素４０に供給される。第１電源ＥＬＶＤＤおよび第２電源ＥＬＶＳＳの供給を受けたそれぞれの画素４０は，供給されたデータ信号に対応する画像を表示する。そして，画素４０は，発光制御信号に対応して発光時間が制御される。
【００１０】
発光制御信号は，走査信号と同様に第１発光制御線Ｅ１〜第ｎ発光制御線Ｅｎに対して順次供給される。画像表示部３０に含まれる全ての画素４０は，発光制御信号が供給される短い時間を除いた期間の間（期間に）発光する。
【００１１】
ところが，このような画像表示部３０では，画素４０の発光有無，すなわち画像表示部３０で表示される画像のパターンおよび輝度に応じて，第１電源ＥＬＶＤＤの電圧が変化するという問題点があった。これをより詳しく説明すると，１フレームの間に第１電源ＥＬＶＤＤに印加される負荷は，画素４０の発光有無によって異なるように決定される。言い換えれば，１フレームの間に多くの画素４０が発光すると，第１電源ＥＬＶＤＤに高負荷が印加され，１フレームの間に少ない画素４０が発光すると，第１電源ＥＬＶＤＤに低負荷が印加される。したがって，画像のパターンに対応して画素４０へ供給される第１電源ＥＬＶＤＤの電圧差が発生し，これにより均一な輝度の映像を表示することができないという問題点が発生する。また，電圧降下現象により，画像表示部３０に形成された画素４０の位置によって第１電源ＥＬＶＤＤの電圧が異なるように適用され，これにより均一な輝度の映像を表示することができないといる問題があった（たとえば，特許文献１〜３を参照）。
【特許文献１】大韓民国特許公開第２００４−００６６７３１号
【特許文献２】大韓民国特許公開第２００３−００６５６４０号
【特許文献３】大韓民国特許公開第２００３−００１９０４４号
【発明の開示】
【発明が解決しようとする課題】
【００１２】
本発明はこのような問題点に鑑みてなされたもので，その目的とするところは，均一な画像が表示できるようにした発光表装置およびその駆動方法を提供することにある。
【課題を解決するための手段】
【００１３】
上記課題を解決するために，発光表示装置の駆動方法では，１フレームを１つ以上であるｉ本のサブフレームに分割する段階と；サブフレーム期間ごとに，画像表示部に含まれる複数の走査線の中の一部の走査線に走査信号を順次供給する段階と；を含み：サブフレーム期間ごとに走査信号が供給される走査線は，お互い異なるように設定されることを特徴とする。ここで，サブフレーム期間とは，サブフレームの発光制御または非発光制御を行うために用いられる一定の期間を意味する。
【００１４】
また，サブフレーム期間ごとに，画像表示部に含まれた走査線の中の１／ｉ本の走査線に対して走査信号が供給されてもよい。
【００１５】
さらに，サブフレーム期間において；走査信号の供給を受ける画素にデータ信号が供給されてもよい。
【００１６】
また，データ信号の供給を受ける画素が，データ信号の供給を受けるサブフレーム期間に発光しない段階を含んでいてもよい。
【００１７】
さらに，データ信号の供給を受ける画素のそれぞれに含まれる発光素子に対して，発光素子のアノード電極側に電源が接続され，電源の電圧は，画素が発光しない段階において，発光素子が発光しないように下降するものであってもよい。
【００１８】
また，データ信号の供給を受ける画素のそれぞれに含まれる発光素子に対して，発光素子のアノード電極側に電源が接続され，電源の供給が，記画素が発光しない段階において断されてもよい。
【００１９】
さらに，画素が発光しない段階において：データ信号の供給を受ける画素のそれぞれに含まれ，発光素子に流れる電流の供給始点を制御するトランジスタをターンオフさせるものであってもよい。
【００２０】
また，画素が発光しない段階において：データ信号の供給を受ける画素のそれぞれに含まれる発光素子に対して，発光素子のカソード電極側に電源が接続され，電源の電圧を，発光素子が発光しないように上昇させるものであってもよい。
【００２１】
さらに，画素が発光しない段階において：データ信号の供給を受ける画素のそれぞれに含まれる発光素子のカソード電極側に接続された電源の供給が，遮断されてもよい。
【００２２】
また，１フレームが３つ以上であるｉ本のサブフレームに分割される段階と；サブフレーム期間ごとに，画像表示部に含まれる一部の画素が非発光状態に設定され，残りの画素が発光状態に設定される段階と；を含んでいてもよい。
【００２３】
さらに，サブフレーム期間において：非発光状態に設定された画素に対して，データ信号が供給されてもよい。
【００２４】
また，サブフレーム期間ごとに，画像表示部に含まれた画素の１／ｉ個の画素が発光しないものであってもよい。
【００２５】
さらに，１フレームに含まれたサブフレーム期間ごとに，発光しない画素がお互い異なるように設定されていてもよい。
【００２６】
また，発光状態に設定された画素の数が，非発光状態に設定された画素の数より多くてもよい。
【００２７】
さらに，１フレームが１つ以上であるｉ本のサブフレームに分割される段階と；画素ごとに含まれる発光素子のアノード電極に接続される第１電源の数がサブフレームの数と同一に設定される段階と；サブフレームごとに，画像表示部に含まれた一部の画素にデータ信号が供給される段階と；を含み：データ信号の供給を受ける一部の画素は，サブフレーム期間に発光しないものであってもよい。
【００２８】
また，サブフレーム期間ごとに，画像表示部に含まれた画素の１／ｉ個の画素にデータ信号が供給されるものであってもよい。
【００２９】
さらに，画像表示部に含まれた画素のそれぞれは，ｉ個のサブフレームのうち一つ以上のサブフレーム期間には発光せず，その他のサブフレーム期間には発光するものであってよもよい。
【００３０】
また，画像表示部にｉ個の第１電源が含まれ，同一のサブフレーム期間に発光しない画素は，ｉ個の第１電源のうち同一の第１電源に接続されるものであってもよい。
【００３１】
さらに，１フレームのうちお互い異なるサブフレーム期間に発光しない画素は，ｉ個の第１電源のうちお互い異なる第１電源に接続されるものであってもよい。
【００３２】
本発明に係る発光表示装置は，１フレームが１つ以上であるｉ本のサブフレームに分割される発光表示装置において；走査線およびデータ線と；走査線およびデータ線に接続されるように位置した複数の画素を含む画像表示部と；サブフレーム期間ごとに，上記走査線の中の一部の走査線に走査信号を順次供給する走査駆動部と；走査信号に対応するデータ信号を供給するためのデータ駆動部と；画素に含まれた発光素子のアノード電極側に接続され，サブフレームの数と同一の数に設定される第１電源と；を備え：サブフレーム期間ごとに走査信号が供給される走査線は，お互い異なるように設定されることを特徴とする。
【００３３】
また，走査駆動部は，サブフレーム期間ごとに，画像表示部に含まれた走査線の１／ｉ本の走査線に走査信号を供給するものであってもよい。
【００３４】
さらに，データ駆動部は，サブフレーム期間において走査信号の供給を受ける走査線に接続された画素に対して，データ信号を供給するものであってもよい。
【００３５】
また，画像表示部はｉ個の第１電源を含み，同一のサブフレーム期間にデータ信号の供給を受ける画素は，同一の第１電源に接続されていてもよい。
【００３６】
さらに，ｉ個の第１電源のうち，データ信号が供給される画素に接続された第１電源の電圧値は，データ信号が供給されるサブフレーム期間において，画素が発光しないように下降するものであってもよい。
【００３７】
また，ｉ個の第１電源のそれぞれに接続されるｉ個のトランジスタを備えるものであってもよい。
【００３８】
さらに，ｉ個のトランジスタのうち，データ信号が供給される画素に接続されたトランジスタは，データ信号が供給されるサブフレーム期間にターンオフされ，その他のトランジスタは，ターンオンされるものであってもよい。
【００３９】
また，上記画素に含まれた発光素子のカソード電極側に接続されるｉ個の第２電源を備えていてもよい。
【００４０】
さらに，同一のサブフレーム期間にデータ信号の供給を受ける画素は，同一の第２電源に接続されるものであってもよい。
【００４１】
また，ｉ個の第２電源のうち，データ信号が供給される画素に接続された第２電源の電圧値は，データ信号が供給されるサブフレーム期間において，画素が発光しないように上昇するものであってもよい。
【００４２】
さらに，ｉ個の第２電源それぞれに接続されるｉ個のトランジスタを備えるものであってもよい。
【００４３】
また，ｉ個のトランジスタのうち，データ信号が供給される画素に接続された一つのトランジスタは，データ信号が供給されるサブフレーム期間にターンオフされ，その他のトランジスタは，ターンオンされるものであってもよい。
【００４４】
さらに，画素それぞれは，走査線およびデータ線に接続され，走査信号によって制御される第１トランジスタと；データ信号に対応して発光素子に供給される電流を制御するための第２トランジスタと；第２トランジスタに接続され，データ信号に対応する電圧を充電するためのキャパシタと；発光制御線に接続され，走査駆動部からの発光制御信号が供給されるときにはターンオフされ，その他の期間にはターンオンされる第３トランジスタと；を備えていてもよい。
【００４５】
また，発光制御線は，走査線に並んで形成され，サブフレームの数と同一のｉ個に設定されるものであってもよい。
【００４６】
さらに，同一のサブフレーム期間にデータ信号の供給を受ける画素は，同一の発光制御線に接続されていてもよい。
【００４７】
走査駆動部は，データ信号の供給を受ける画素が発光しないように，サブフレーム期間ごとにｉ本の発光制御線のいずれか一つに発光制御信号を供給するものであってもよい。
【発明の効果】
【００４８】
本発明に係る発光表示装置およびその駆動方法によれば，１フレームを複数のサブフレームに分割し，分割されたサブフレームでデータ信号の供給を受ける画素を，非発光状態に保つことにより，画素それぞれに所望の電圧が充電でき，データ信号に対応して均一な画像を表示することができる。
【発明を実施するための最良の形態】
【００４９】
以下に図２〜図１４を参照しながら，本発明の好適な実施の形態について詳細に説明する。なお，本明細書及び図面において，実質的に同一の機能構成を有する構成要素については，同一の符号を付することにより重複説明を省略する。
【００５０】
図２は，本発明の実施形態に係る発光表示装置の駆動方法を示す図である。
【００５１】
本実施形態に係る発光表示装置は，図２に示すように，１フレームＦを複数のサブフレームＳＦに分けて駆動する。実際，本実施形態において，１フレームＦはｉ（ｉは１以上の自然数）個のサブフレームＳＦに分けて駆動される。それぞれのサブフレームＳＦ期間（ここで，サブフレームＳＦ期間とは，サブフレームＳＦの発光制御または非発光制御を行うために用いられる一定の期間を意味する。以下，本実施形態において用いられる「サブフレーム期間」の語は同様の内容を意味するものとする。）に，一部の画素は発光せず，残りの画素は発光する。ここで，サブフレームＳＦ期間に発光しない一部の画素では，供給されるデータ信号の受け取りを行っている。
【００５２】
本実施形態において，１フレームＦに含まれたそれぞれのサブフレームＳＦ期間において，データ信号の供給を受ける画素（すなわち，発光しない画素）は，お互い異なる画素となるように設定される。言い換えれば，第１サブフレーム（１ＳＦ）期間にデータ信号の供給を受けた画素は，第２サブフレーム（２ＳＦ）期間〜第ｉサブフレーム（ｉＳＦ）期間においてデータ信号の供給を受けない。すなわち，本実施形態の画素は，ｉ個のサブフレームＳＦのいずれか１つのサブフレーム期間には発光せず，残りのサブフレーム期間には発光する。本実施形態では，画素が一つ以上のサブフレーム期間において発光しない場合もある。
【００５３】
それぞれのサブフレームＳＦ期間に発光しない画素の数は，総画素数の１／ｉ個に設定される。なお，このｉは，上述したように１フレームにおいて分割されたサブフレームの数を示しており，ｉの値は１以上の自然数となる。
【００５４】
例えば，１フレームＦが４個のサブフレームに分割され，画像表示部に含まれる総画素の数が４０００であると仮定すると，それぞれのサブフレームでは１０００個の画素が発光しない。一方，本発明においてフレームが２個のサブフレームに分割されると，画素の非発光時間が長く設定されてフリッカーなどが発生するおそれがある。したがって，本発明では，フレームを３つ以上のサブフレームに分割する。
【００５５】
図３は，本実施形態の駆動方法によって発光しない画素を示す図である。なお説明の便宜上，画像表示部にｎ本の走査線Ｓ１〜Ｓｎが含まれ，１フレームＦが４個のサブフレームＳＦに分割されると仮定する。
【００５６】
本実施形態の１フレームＦは，図３に示すように，４つのサブフレームＳＦに分割され，それぞれのサブフレームＳＦ期間にお互い異なる走査線に接続された画素が非発光状態となるように設定されている。言い換えれば，それぞれのサブフレームＳＦ期間において発光しない画素は，お互い異なるものとなるように設定される。
【００５７】
第１サブフレーム１ＳＦ期間において，第１走査線Ｓ１，第５走査線Ｓ５（ｉ＋１走査線），第９走査線Ｓ９（２ｉ＋１，走査線），…，第ｎ−３走査線Ｓｎ−３などに形成された画素は，非発光状態に設定される。そして，第１サブフレーム１ＳＦ期間において非発光状態に設定されて第１走査線Ｓ１，第５走査線Ｓ５，第９走査線Ｓ９，…，第ｎ−３走査線Ｓｎ−３などに形成された画素に対してデータ信号が供給される。
【００５８】
第２サブフレーム２ＳＦ期間において，第２走査線Ｓ２，第６走査線Ｓ６（ｉ＋２走査線），第１０走査線Ｓ１０（２ｉ＋２走査線），…，第ｎ−２走査線Ｓｎ−２などに形成された画素は，非発光状態に設定される。そして，第２サブフレーム２ＳＦ期間において，非発光状態に設定されて第２走査線Ｓ２，第６走査線Ｓ６，第１０走査線Ｓ１０，…，第ｎ−２走査線Ｓｎ−２などに形成された画素に対してデータ信号が供給される。
【００５９】
第３サブフレーム３ＳＦ期間において，第３走査線Ｓ３，第７走査線Ｓ７（ｉ＋３走査線），第１１走査線Ｓ１１（２ｉ＋３走査線），…，第ｎ−１走査線Ｓｎ−１などに形成された画素は，非発光状態に設定される。そして，第３サブフレーム３ＳＦ期間において非発光状態に設定されて第３走査線Ｓ３，第７走査線Ｓ７，第１１走査線Ｓ１１，…，第ｎ−１走査線Ｓｎ−１などに形成された画素に対してデータ信号が供給される。
【００６０】
第４サブフレーム４ＳＦ期間において，第４走査線Ｓ４，第８走査線Ｓ８（２ｉ走査線），第１２走査線Ｓ１２(３ｉ走査線)，…，第ｎ走査線Ｓｎなどに形成された画素は，非発光状態に設定される。そして，第４サブフレーム４ＳＦ期間において非発光状態に設定されて第４走査線Ｓ４，第８走査線Ｓ８，第１２走査線Ｓ１２，…，第ｎ走査線Ｓｎなどに形成された画素に対してデータ信号が供給される。
【００６１】
すなわち，本実施形態では，１フレームＦを複数のサブフレームＳＦに分け，それぞれのサブフレームＳＦ期間において，お互い異なる画素に対してデータ信号を供給する。ここで，データ信号の供給を受ける画素は，サブフレームＳＦ期間に非発光状態に設定される。このようにデータ信号の供給を受ける画素が非発光状態に設定されると，それぞれの画素で均一な画像を表示することができる。これについての詳細な説明は後述する。
【００６２】
図４は，第１実施形態に係る発光表示装置を示す図である。
【００６３】
第１実施形態に係る発光表示装置は，図４に示すように，走査線Ｓ１〜Ｓｎとデータ線Ｄ１〜Ｄｍとの交差領域に形成された画素１４０を含む画像表示部１３０と，走査線Ｓ１〜Ｓｎを駆動するための走査駆動部１１０と，データ線Ｄ１〜Ｄｍを駆動するためのデータ駆動部１２０と，上記駆動部１１０およびデータ駆動部１２０を制御するためのタイミング制御部１５０とを備える。
【００６４】
タイミング制御部１５０は，外部からの同期信号に対応してデータ駆動制御信号ＤＣＳおよび走査駆動制御信号ＳＣＳを生成する。タイミング制御部１５０で生成されたデータ駆動制御信号ＤＣＳは，データ駆動部１２０に供給され，走査駆動制御信号ＳＣＳは走査駆動部１１０に供給される。そして，タイミング制御部１５０は，外部からのデータＤａｔａを再整列してデータ駆動部１２０に供給する。
【００６５】
走査駆動部１１０は，タイミング制御部１５０からの走査駆動制御信号ＳＣＳに応答して走査信号を生成し，生成された走査信号を走査線Ｓに供給する。ここで，走査駆動部１１０は，それぞれのサブフレーム期間において，データの供給を受ける画素１４０（すなわち，非発光状態の画素）に接続された走査線Ｓに対して走査信号を順次供給する。実際，画像表示部１３０にｎ本の走査線Ｓ１〜Ｓｎが形成される場合，走査駆動部１１０はそれぞれのサブフレーム期間において，ｎ／ｉ本の走査線Ｓに対して走査信号を供給する。
【００６６】
すなわち，走査駆動部１１０は，それぞれのサブフレーム期間に一部の走査線Ｓに対して走査信号を順次供給する。それぞれのサブフレーム期間に走査信号の供給を受ける走査線Ｓは，お互い異なるように設定される。例えば，図３に示すように，サブフレーム期間において，画素が非発光状態に設定される場合，走査駆動部１１０は，図５に示すように走査信号を供給する。
【００６７】
言い換えれば，走査駆動部１１０は，第１サブフレーム１ＳＦ期間において，第１走査線Ｓ１，第５走査線Ｓ５，第９走査線Ｓ９，…，第ｎ−３走査線Ｓｎ−３に対して走査信号を順次供給し，第２サブフレーム２ＳＦ期間において，第２走査線Ｓ２，第６走査線Ｓ６，第１０走査線Ｓ１０，…，第ｎ−２走査線Ｓｎ−２に対して走査信号を順次供給する。また，走査駆動部１１０は，第３サブフレーム３ＳＦ期間において，第３走査線Ｓ３，第７走査線Ｓ７，第１１走査線Ｓ１１，…，第ｎ−１走査線Ｓｎ−１に対して走査信号を順次供給し，第４サブフレーム４ＳＦ期間において，第４走査線Ｓ４，第８走査線Ｓ８，第１２走査線Ｓ１２，…，第ｎ走査線Ｓｎに対して，走査信号を順次供給する。
【００６８】
データ駆動部１２０は，タイミング制御部１５０からのデータ駆動制御信号ＤＣＳに応答してデータ信号を生成し，生成されたデータ信号をデータ線Ｄ１〜Ｄｍに供給する。ここで，データ駆動部１２０は，走査駆動部１１０から供給される走査信号に対応してデータ信号を供給する。すなわち，データ駆動部１２０は，サブフレーム期間において，発光しない画素１４０に対してデータ信号を供給する。
【００６９】
例えば，データ駆動部１２０は，第１サブフレーム１ＳＦ期間において，順次供給される走査信号に対応して，第１走査線Ｓ１，第５走査線Ｓ５，第９走査線Ｓ９，…，第ｎ−３走査線Ｓｎ−３に形成された画素に対してデータ信号を供給する。第２サブフレーム２ＳＦ期間において，データ駆動部１２０は，順次供給される走査信号に対応して，第２走査線Ｓ２，第６走査線Ｓ６，第１０走査線Ｓ１０，…，第ｎ−２走査線Ｓｎ−２に形成された画素に対してデータ信号を供給する。第３サブフレーム３ＳＦ期間において，データ駆動部１２０は，順次供給される走査信号に対応して，第３走査線Ｓ３，第７走査線Ｓ７，第１１走査線Ｓ１１，…，第ｎ−１走査線Ｓｎ−１に形成された画素に対してデータ信号を供給する。第４サブフレーム２ＳＦ期間において，データ駆動部１２０は，順次供給される走査信号に対応して，第４走査線Ｓ４，第８走査線Ｓ８，第１２走査線Ｓ１２，…，第ｎ走査線Ｓｎに形成された画素に対してデータ信号を供給する。
【００７０】
画像表示部１３０は，外部から第１電源ＥＬＶＤＤおよび第２電源ＥＬＶＳＳの供給を受ける。ここで，第１電源ＥＬＶＤＤは，サブフレームの数に対応して複数の電源に分けられる。例えば，１フレームが４つのサブフレームからなると，第１電源ＥＬＶＤＤは，第１分割電源ＥＬＶＤＤ１，第２分割電源ＥＬＶＤＤ２，第３分割電源ＥＬＶＤＤ３および第４分割電源ＥＬＶＤＤ４に分けられる。この際，第１分割電源ＥＬＶＤＤ１，第２分割電源ＥＬＶＤＤ２，第３分割電源ＥＬＶＤＤ３および第４分割電源ＥＬＶＤＤ４のそれぞれの電圧値は，従来の第１電源ＥＬＶＤＤの電圧値と同一の値に設定される。
【００７１】
第１分割電源ＥＬＶＤＤ１は，第１サブフレーム１ＳＦ期間において，データ信号の供給を受ける画素に接続される。第２分割電源ＥＬＶＤＤ２は，第２サブフレーム２ＳＦ期間において，データ信号の供給を受ける画素に接続される。第３分割電源ＥＬＶＤＤ３は，第３サブフレーム３ＳＦ期間において，データ信号の供給を受ける画素に接続される。第４分割電源ＥＬＶＤＤ４は，第４サブフレーム４ＳＦ期間において，データ信号の供給を受ける画素に接続される。
【００７２】
第１分割電源ＥＬＶＤＤ１〜第４分割電源ＥＬＶＤＤ４のいずれか一つと第２電源ＥＬＶＳＳとに接続された画素１４０は，複数のサブフレームのいずれかのサブフレーム期間においてデータ信号の供給を受け，残りのサブフレーム期間においてはデータ信号に対応する画像を表示する。
【００７３】
図６は，図４に示した画素の実施形態を示す図である。図６では，説明の便宜上，第ｍデータ線Ｄｍと第ｎ走査線Ｓｎに接続された画素を示す。したがって，図６に示した画素は第４分割電源ＥＬＶＤＤ４に接続される。
【００７４】
本実施形態の画素１４０のそれぞれは，図６に示すように，発光素子ＯＬＥＤと，データ線Ｄｍ，走査線Ｓｎおよび発光制御線Ｅｎに接続され，発光素子ＯＬＥＤを制御するための画素回路１４２とを備える。
【００７５】
発光素子ＯＬＥＤのアノード電極は，画素回路１４２に接続され，発光素子ＯＬＥＤのカソード電極は，第２電源ＥＬＶＳＳに接続される。このような発光素子ＯＬＥＤは，画素回路１４２から供給される電流に対応する光を生成する。
【００７６】
画素回路１４２は，第１トランジスタＭ１，第２トランジスタＭ２，第３トランジスタＭ３およびキャパシタＣを備える。第１トランジスタＭ１は，第ｎ走査線Ｓｎに走査信号が供給されるときにターンオンされる。第１トランジスタＭ１がターンオンされると，データ線Ｄｍに供給されるデータ信号がキャパシタＣに供給される。この際，キャパシタＣは，第１トランジスタＭ１がターンオンされるときにデータ信号に対応する電圧を充電する。
【００７７】
第２トランジスタＭ２は，キャパシタＣに充電された電圧に対応する電流を第３トランジスタＭ３に供給する。第３トランジスタＭ３は，第２トランジスタＭ２と発光素子ＯＬＥＤとの間に接続される。このような第３トランジスタＭ３は，発光制御信号が供給されるときにターンオフされ，その他の期間にはターンオンされる。
【００７８】
図６に示した画素１４０は，複数のサブフレームのうちデータ信号の供給を受ける第４サブフレーム４ＳＦ期間に非発光状態を保つ。実際，第４分割電源ＥＬＶＤＤ４に接続された全ての画素１４０は，第４サブフレーム４ＳＦ期間に発光しない。すると，第４サブフレーム４ＳＦ期間には，第４分割電源ＥＬＶＤＤ４から電流が流れず，これにより第４分割電源ＥＬＶＤＤ４の電圧降下が発生しない。このように第４サブフレーム４ＳＦ期間において，第４分割電源ＥＬＶＤＤ４の電圧降下が発生しなければ，第４サブフレーム４ＳＦ期間においてデータ信号の供給を受ける画素１４０のキャパシタＣに対して，データ信号に対応する正確な電圧を充電させることができる。
【００７９】
一方，第４サブフレーム４ＳＦ期間において，データ信号の供給を受けた画素１４０が発光するときに，第４分割電源ＥＬＶＤＤ４から所定の電流が流れ，これにより第４分割電源ＥＬＶＤＤ４の電圧降下が発生する。第４分割電源ＥＬＶＤＤ４の電圧降下が発生するとき，キャパシタＣを介して第４分割電源ＥＬＶＤＤ４に接続された第２トランジスタＭ２のゲート電極電圧も，第４分割電源ＥＬＶＤＤ４の電圧変動量に対応して変化する。言い換えれば，キャパシタＣのカップリングによって第４分割電源ＥＬＶＤＤ４の電圧変動量だけ第２トランジスタＭ２のゲート電極の電圧も変化する。すると，第４分割電源ＥＬＶＤＤ４の電圧変動量を問わずに，第２トランジスタＭ２のゲート電極とソース電極との間の電圧差は同一に維持される。したがって，本実施形態では，キャパシタＣに充電された電圧に対応して均一な画像を表示することができる。
【００８０】
すなわち，本実施形態では，１フレームを一つ以上のサブフレームに分割し，分割されたサブフレームでデータ信号の供給を受ける画素を非発光状態に保つことにより，均一な画像を表示することができる。一方，本実施形態において画素を非発光状態に保つために，様々な方法を適用することができる。
【００８１】
例えば，本実施形態では，第１分割電源ＥＬＶＤＤ１，第２分割電源ＥＬＶＤＤ２，第３分割電源ＥＬＶＤＤ３および第４分割電源ＥＬＶＤＤ４の電圧値を用いて画素１４０を非発光状態に制御することができる。
【００８２】
これを詳しく説明すると，まず第１サブフレーム１ＳＦ期間において，第１分割電源ＥＬＶＤＤ１の電圧を，発光素子ＯＬＥＤが発光しない程度に低めることができる。例えば，本実施形態では，第１サブフレーム１ＳＦ期間において，第１分割電源ＥＬＶＤＤ１の電圧値を第２電源ＥＬＶＳＳの電圧値と同一の値に設定することができる。このように第１サブフレーム１ＳＦ期間に第１分割電源ＥＬＶＤＤ１の電圧値が低くなると，第１分割電源ＥＬＶＤＤ１に接続された画素は発光しない。
【００８３】
第２サブフレーム２ＳＦ期間には，第２分割電源ＥＬＶＤＤ２の電圧が，発光素子ＯＬＥＤが発光しない程度まで低下する。例えば，第２サブフレーム２ＳＦ期間において，第２分割電源ＥＬＶＤＤ２の電圧値は，第２電源ＥＬＶＳＳの電圧値と同一の値に設定することができる。そして，第２サブフレーム２ＳＦ期間において，第１分割電源ＥＬＶＤＤ１の電圧値は，発光素子ＯＬＥＤが発光できるように電圧値を上昇させる。
【００８４】
同様に，第３サブフレーム期間において第３分割電源ＥＬＶＤＤ３の電圧値を低く設定し，第４サブフレーム期間において第４分割電源ＥＬＶＤＤ４の電圧値を低く設定することにより，特定のサブフレーム期間において一部の画素を非発光状態に維持することができる。
【００８５】
図７は，第２実施形態に係る発光表示装置を示す図である。
【００８６】
第２実施形態に係る発光表示装置は，図７に示すように，サブフレーム期間に一部の画素を非発光状態に維持するため，第１分割電源ＥＬＶＤＤ１〜第４分割電源ＥＬＶＤＤ４のそれぞれに対して，トランジスタ（Ｍ１１〜Ｍ１４のいずれか一つ）がさらに設置されている。
【００８７】
第１トランジスタＭ１１は，第１分割電源ＥＬＶＤＤ１に接続される。第１トランジスタＭ１１は，図８に示すように，外部から供給される第１制御信号ＣＳ１に対応して第１サブフレーム１ＳＦ期間にターンオフされ，その他のサブフレーム２ＳＦ〜４ＳＦ期間にターンオンされる。したがって，第１サブフレーム１ＳＦ期間において，第１分割電源ＥＬＶＤＤ１に接続された画素は発光しない。
【００８８】
第２トランジスタＭ１２は，第２分割電源ＥＬＶＤＤ２に接続される。第２トランジスタＭ１２は，外部から供給される第２制御信号ＣＳ２に対応して第２サブフレーム２ＳＦ期間にターンオフされ，その他のサブフレーム１ＳＦ，３ＳＦ，４ＳＦ期間にターンオンされる。したがって，第２サブフレーム２ＳＦ期間において，第２分割電源ＥＬＶＤＤ２に接続された画素は発光しない。
【００８９】
第３トランジスタＭ１３は，第３分割電源ＥＬＶＤＤ３に接続される。第３トランジスタＭ１３は，外部から供給される第３制御信号ＣＳ３に対応して第３サブフレーム３ＳＦ期間にターンオフされ，その他のサブフレーム１ＳＦ，２ＳＦ，４ＳＦ期間にターンオンされる。したがって，第３サブフレーム３ＳＦ期間において，第３分割電源ＥＬＶＤＤ３に接続された画素は発光しない。
【００９０】
第４トランジスタＭ１４は，第４分割電源ＥＬＶＤＤ４に接続される。第４トランジスタＭ１４は，外部から供給される第４制御信号ＣＳ４に対応して第４サブフレーム４ＳＦ期間にターンオフされ，その他のサブフレーム１ＳＦ，２ＳＦ，３ＳＦ期間にターンオンされる。したがって，第４サブフレーム４ＳＦ期間において，第４分割電源ＥＬＶＤＤ４に接続された画素は発光しない。
【００９１】
図９は，第３実施形態に係る発光表示装置を示す図である。
【００９２】
第３実施形態に係る発光表示装置は，図９に示すように，４つのサブフレームに対応するように４本の発光制御線Ｅ１〜Ｅ４を備える。
【００９３】
第１発光制御線Ｅ１は，第１サブフレーム１ＳＦ期間において，データ信号の供給を受ける画素と共通に接続される。第１発光制御線Ｅ１は，図１０に示すように，第１サブフレーム１ＳＦ期間において発光制御信号の供給を受ける。すると，第１発光制御線Ｅ１に接続された第３トランジスタＭ３が，ターンオフ状態に設定される。すなわち，第１サブフレーム１ＳＦ期間にデータ信号の供給を受ける画素は，第１発光制御線Ｅ１に供給される発光制御信号によって非発光状態に設定される。
【００９４】
第２発光制御線Ｅ２は，第２サブフレーム２ＳＦ期間において，データ信号の供給を受ける画素と共通に接続される。第２発光制御線Ｅ２は，第２サブフレーム２ＳＦ期間において，発光制御信号の供給を受ける。すると，第２発光制御線Ｅ２に接続された第３トランジスタＭ３がターンオフ状態に設定される。すなわち，第２サブフレーム２ＳＦ期間においてデータ信号の供給を受ける画素は，第２発光制御線Ｅ２に供給される発光制御信号により非発光状態に設定される。
【００９５】
第３発光制御線Ｅ３は，第３サブフレーム３ＳＦ期間において，データ信号の供給を受ける画素と共通に接続される。このような第３発光制御線Ｅ３は，第３サブフレーム３ＳＦ期間において発光制御信号の供給を受ける。すると，第３発光制御線Ｅ３に接続された第３トランジスタＭ３はターンオフ状態に設定される。すなわち，第３サブフレーム３ＳＦ期間にデータ信号の供給を受ける画素は，第３発光制御線Ｅ３に供給される発光制御信号によって非発光状態に設定される。
【００９６】
第４発光制御線Ｅ４は，第４サブフレーム４ＳＦ期間において，データ信号の供給を受ける画素と共通に接続される。このような第４発光制御線Ｅ４は，第４サブフレーム４ＳＦ期間において発光制御信号の供給を受ける。すると，第４発光制御線Ｅ４に接続された第３トランジスタＭ３がターンオフ状態に設定される。すなわち，第４サブフレーム４ＳＦ期間にデータ信号の供給を受ける画素は，第４発光制御線Ｅ４に供給される発光制御信号によって非発光状態に設定される。
【００９７】
一方，第２電源ＥＬＶＳＳを用いて画素を非発光状態に制御することができる。
【００９８】
図１１は，第４実施形態に係る発光表示装置を示す図である。
【００９９】
第４実施形態において，図１１に示すように，第２電源ＥＬＶＳＳは，１フレームに含まれたサブフレームの数と同一の数である，第５分割電源ＥＬＶＳＳ１，第６分割電源ＥＬＶＳＳ２，第７分割電源ＥＬＶＳＳ３および第８分割電源ＥＬＶＳＳ４に分けられる。ここで，第５分割電源ＥＬＶＳＳ１〜第８分割電源ＥＬＶＳＳ４の電圧値は，第２電源ＥＬＶＳＳの電圧値と同一の値に設定される。すなわち，発光素子ＯＬＥＤのカソード電極側に接続される第５分割電源ＥＬＶＳＳ１〜第８分割電源ＥＬＶＳＳ４の電圧値は，発光素子ＯＬＥＤのアノード電極側に接続される第１分割電源ＥＬＶＤＤ１〜第４分割電源ＥＬＶＤＤ４の電圧値より低く設定される。
【０１００】
第５分割電源ＥＬＶＳＳ１は，第１サブフレーム１ＳＦ期間において，データ信号の供給を受ける画素に接続される。第６分割電源ＥＬＶＳＳ２は，第２サブフレーク２ＳＦ期間において，データ信号の供給を受ける画素に接続される。第７分割電源ＥＬＶＳＳ３は，第３サブフレーム３ＳＦ期間において，データ信号の供給を受ける画素に接続される。第８分割電源ＥＬＶＳＳ４は，第４サブフレーム４ＳＦ期間において，データ信号の供給を受ける画素に接続される。
【０１０１】
第４実施例に係る発光表示装置では，サブフレーム期間において，画素を非発光状態に制御するための第５分割電源ＥＬＶＳＳ１〜第８分割電源ＥＬＶＳＳ４を用いる。
【０１０２】
これを詳しく説明すると，まず第１サブフレーム１ＳＦ期間において，発光素子ＯＬＥＤが発光しないように第５分割電源ＥＬＶＳＳ１の電圧を上昇する。例えば，第５分割電源ＥＬＶＳＳ１は，第１分割電源ＥＬＶＤＤ１と同一の電圧値に上昇することができる。このように第１サブフレーム１ＳＦ期間において第５分割電源ＥＬＶＳＳ１の電圧が上昇すると，第５分割電源ＥＬＶＳＳ１に接続された画素は発光しない。
【０１０３】
第２サブフレーム２ＳＦ期間において，発光素子ＯＬＥＤが発光しないように第６分割電源ＥＬＶＳＳ２の電圧が上昇する。例えば，第６分割電源ＥＬＶＳＳ２は，第２分割電源ＥＬＶＳＤＤ２と同一の電圧値に上昇することができる。このように第２サブフレーム２ＳＦ期間に第６分割電源ＥＬＶＳＳ２の電圧が上昇すると，第６分割電源ＥＬＶＳＳ２に接続された画素は発光しない。
【０１０４】
第３サブフレーム３ＳＦ期間において，発光素子ＯＬＥＤが発光しないように第７分割電源ＥＬＶＳＳ３の電圧が上昇する。例えば，第７分割電源ＥＬＶＳＳ３は，第３分割電源ＥＬＶＤＤ３と同一の電圧値に上昇できる。このように第３サブフレーム３ＳＦ期間において第７分割電源ＥＬＶＳＳ３の電圧が上昇すると，第７分割電源ＥＬＶＳＳ３に接続された画素は発光しない。
【０１０５】
第４サブフレーム４ＳＦ期間において，発光素子ＯＬＥＤが発光しないように第８分割電源ＥＬＶＳＳ４の電圧が上昇する。例えば，第８分割電源ＥＬＶＳＳ４は，第４分割電源ＥＬＶＤＤ４と同一の電圧値に上昇できる。このように第４サブフレーム４ＳＦ期間において，第８分割電源ＥＬＶＳＳ４の電圧が上昇すると，第８分割電源ＥＬＶＳＳ４に接続された画素は発光しない。
【０１０６】
図１２は，本不明の第５実施形態に係る発光表示装置を示す図である。
【０１０７】
第５実施形態に係る発光表示装置は，図１２に示すように，サブフレームの間に一部の画素を非発光状態に維持するため，第５分割電源ＥＬＶＳＳ１〜第８分割電源ＥＬＶＳＳ４のそれぞれごとにトランジスタ（Ｍ２１〜Ｍ２４のいずれか）がさらに設置される。
【０１０８】
第１トランジスタＭ２１は，第５分割電源ＥＬＶＳＳ１に接続される。このような第１トランジスタＭ２１は，図８に示すように，外部から供給される第１制御信号ＣＳ１に対応して第１サブフレーム１ＳＦ期間はターンオフされ，その他のサブフレーム２ＳＦ〜４ＳＦ期間にはターンオンされる。したがって，第１サブフレーム１ＳＦ期間に第５分割電源ＥＬＶＳＳ１に接続された画素は発光しない。
【０１０９】
第２トランジスタＭ２２は，第６分割電源ＥＬＶＳＳ２に接続される。このような第２トランジスタＭ２２は，外部から供給される第２制御信号ＣＳ２に対応して第２サブフレーム２ＳＦ期間にターンオフされ，その他のサブフレーム１ＳＦ，３ＳＦ，４ＳＦ期間にターンオンされる。したがって，第２サブフレーム２ＳＦ期間において，第６分割電源ＥＬＶＳＳ２に接続された画素は発光しない。
【０１１０】
第３トランジスタＭ２３は，第７分割電源ＥＬＶＳＳＳ３に接続される。このような第３トランジスタＭ３２は，外部から供給される第３制御信号ＣＳ３に対応して第３サブフレーム３ＳＦ期間にターンオフされ，その他のサブフレーム１ＳＦ，２ＳＦ，４ＳＦ期間にターンオンされる。したがって，第３サブフレーム３ＳＦ期間において，第７分割電源ＥＬＶＳＳ３に接続された画素は発光しない。
【０１１１】
第４トランジスタＭ２４は，第８分割電源ＥＬＶＳＳ８に接続される。第４トランジスタＭ２４は，外部から供給される第４制御信号ＣＳ４に対応して第４サブフレーム４ＳＦ期間にターンオフされ，その他のサブフレーム１ＳＦ，２ＳＦ，３ＳＦ期間にターンオンされる。したがって，第４サブフレーム４ＳＦ期間において第８分割電源ＥＬＶＳＳ４に接続された画素は発光しない。
【０１１２】
上述したように，本実施形態では，サブフレーム期間に様々な方法を用いて一部の画素を発光しないようにする。ここで，非発光画素がサブフレーム期間において，データ信号の供給を受けるので，本実施形態では，均一な輝度の画像を表示することができる。一方，本実施形態の画素１４０は，様々な形態で構成できる。例えば，画素１４０は，トランジスタのしきい値電圧を問わずにデータ信号に対応する画像を表示することができるよう，図１３のように構成することができる。
【０１１３】
図１３は，図４に示した他の画素の実施形態を示す図である。図１３では，説明の便宜上，第ｍデータ線Ｄｍと第ｎ走査線Ｓｎに接続された画素を示している。したがって，図１３に示した画素は，第４分割電源ＥＬＶＤＤ４に接続される。
【０１１４】
図１３を参照すると，他の実施形態に係る画素１４０は，発光素子ＯＬＥＤと，データ線Ｄｍ，走査線Ｓｎおよび発光制御線Ｅｎに接続され，発光素子ＯＬＥＤを制御するための画素回路１４２とを備える。
【０１１５】
発光素子ＯＬＥＤのアノード電極は，画素回路１４２に接続され，カソード電極は第２電源ＥＬＶＳＳに接続される。発光素子ＯＬＥＤは，画素回路１４２から供給される電流に対応する光を生成する。
【０１１６】
画素回路１４２は，第４分割電源ＥＬＶＤＤ４とデータ線Ｄｍとの間に接続される第１トランジスタＭ１および第６トランジスタＭ６と，発光素子ＯＬＥＤおよび発光制御線Ｅｎに接続される第３トランジスタＭ３と，第３トランジスタＭ３と第１ノードＮ１との間に接続される第２トランジスタＭ２と，第１ノードＮ１に第１電極およびゲート電極が接続され，第２トランジスタＭ２のゲート電極に第２電極が接続された第５トランジスタＭ５と，第２トランジスタＭ２のゲート端子と第２電極との間に接続された第４トランジスタＭ４とを備える。ここで，第１電極は，ソース電極およびドレイン電極のいずれか一つに設定され，第２電極は，第１電極とは異なる電極に設定される。
【０１１７】
第１トランジスタＭ１の第１電極は，データ線Ｄｍに接続され，第１トランジスタＭ１の第２電極は，第１ノードＮ１に接続される。そして，第１トランジスタＭ１のゲート電極は，走査線Ｓｎに接続される。このような第１トランジスタＭ１は，走査線Ｓｎに走査信号が供給されるときにターンオンされ，データ線Ｄｍに供給されるデータ信号を第１ノードＮ１に供給する。
【０１１８】
第２トランジスタＭ２の第１電極は，第１ノードＮ１に接続され，第２トランジスタＭ２のゲート電極は，キャパシタＣに接続される。そして，第２トランジスタＭ２の第２電極は，第３トランジスタＭ３の第１電極に接続される。このような第２トランジスタＭ２は，キャパシタＣに充電された電圧に対応する電流を発光素子ＯＬＥＤに供給する。
【０１１９】
第３トランジスタＭ３の第１電極は，第２トランジスタＭ２の第２電極に接続され，第３トランジスタＭ３のゲート電極は，発光制御線Ｅに接続される。そして，第３トランジスタＭ３の第２電極は，発光素子ＯＥＬＤに接続される。このような第３トランジスタＭ３は，発光制御線Ｅｎに発光制御信号が供給されないときにターンオンされ，第２トランジスタＭ２からの電流を発光素子ＯＬＥＤに伝達する。
【０１２０】
第４トランジスタＭ４の第２電極は，第２トランジスタＭ２のゲート電極に接続され，第４トランジスタＭ４の第１電極は，第２トランジスタＭ２の第２電極に接続される。そして，第４トランジスタＭ４のゲート電極は走査線Ｓｎに接続される。このような第４トランジスタＭ４は，走査線Ｓｎに走査信号が供給されるときにターンオンされ，第２トランジスタＭ２をダイオードに接続させる。
【０１２１】
第５トランジスタＭ５のゲート電極および第１電極は，第１ノードＮ１に接続され，第５トランジスタＭ５の第２電極は，第２トランジスタＭ２のゲート電極に接続される。すなわち，第５トランジスタＭ５は，ダイオード接続され，データ線Ｄｍに供給される初期化電圧を第２トランジスタＭ２のゲート電極に供給する。
【０１２２】
第６トランジスタＭ６の第２電極は，第１ノードＮ１に接続され，第６トランジスタＭ６の第１電極は，第４分割電源ＥＬＶＤＤ４に接続される。そして，第６トランジスタＭ６のゲート電極は，発光制御線Ｅｎに接続される。このような第６トランジスタＭ６は，発光制御信号が供給されないときにターンオンされ，第１電源ＥＬＶＤＤと第１ノードＮ１とを電気的に接続させる。
【０１２３】
次に，画素１４２の動作過程を，図１４を用いて詳細に説明する。まず，走査線Ｓｎに走査信号が供給され，データ線Ｄｍに初期化電圧Ｖｉが供給される。
【０１２４】
第ｎ走査線Ｓｎに走査信号が供給されると，第１トランジスタＭ１および第４トランジスタＭ４がターンオンされる。第１トランジスタＭ１がターンオンされると，データ線Ｄｍに供給された初期化電圧Ｖｉが第１ノードＮ１に供給される。第１ノードＮ１に初期化電圧Ｖｉが供給されると，ダイオード接続された第５トランジスタＭ５がターンオンされて初期化電圧Ｖｉが第２トランジスタＭ２のゲート端子に供給される。
【０１２５】
第２トランジスタＭ２のゲート電極に初期化電圧Ｖｉが供給されると，第２トランジスタＭ２のゲート電極およびキャパシタＣが初期化される。言い換えれば，データ駆動部１２０から供給できる最低電圧のデータ信号より低い電圧値を有する初期化電圧Ｖｉによって，第２トランジスタＭ２のゲート電極が初期化される。すると，第１ノードＮ１に印加されるデータ信号の電圧値を問わずに，第２トランジスタＭ２がターンオンできる。
【０１２６】
第２トランジスタＭ２のゲート電極に初期化電圧Ｖｉが供給された後，データ線Ｄｍに所定の諧調に対応するデータ信号ＤＳが供給される。データ線Ｄｍに供給されたデータ信号ＤＳは，第１トランジスタＭ１を経由して第１ノードＮ１に印加される。この際，第２トランジスタＭ２のゲート電極が初期化電圧Ｖｉによって初期化されるので，第２トランジスタＭ２がターンオンされる。第２トランジスタＭ２がターンオンされると，第１ノードＮ１に印加されたデータ信号ＤＳが，第２トランジスタＭ２および第４トランジスタＭ４を経由してキャパシタＣの一側に供給される。この際，第２トランジスタＭのしきい値電圧Ｖｔｈに該当する電圧だけ強くなったデータ信号が，キャパシタＣの一側に供給され，キャパシタＣにはデータ信号と第２トランジスタＭ２のしきい値電圧Ｖｔｈに対応する電圧とが充電される。
【０１２７】
他の実施形態に係る画素では，キャパシタＣにデータ信号及びしきい値電圧Ｖｔｈに対応する電圧とが充電されるので，所望の輝度の画像を表示することができる。その後，データ信号が書き込まれるサブフレームを除いた残りのフレームの間，発光素子ＯＬＥＤにキャパシタＣに充電された電圧に対応する電流が供給されて所定の画像を表示する。
【０１２８】
以上，添付図面を参照しながら本発明の好適な実施形態について説明したが，本発明は係る例に限定されないことはいうまでもない。当業者であれば，特許請求の範囲に記載された範疇内において，各種の変更例または修正例に想到しうることは明らかであり，それらについても当然に本発明の技術的範囲に属するものと了解される。
【産業上の利用可能性】
【０１２９】
本発明は，発光表示装置およびその駆動方法に適用可動であり，特に均一な画像が表示できるようにした発光表示装置およびその駆動方法に適用可能である。
【図面の簡単な説明】
【０１３０】
【図１】従来の発光表示装置を示す図である。
【図２】本実施形態に係る発光表示装置の駆動方法を示す図である。
【図３】図２の駆動方法によって発光しない画素を示す図である。
【図４】第１実施形態に係る発光表示装置を示す図である。
【図５】図４に示した走査駆動部から供給される走査信号を示す図である。
【図６】画素の実施形態を示す回路図である。
【図７】第２実施形態に係る発光表示装置を示す図である。
【図８】図７に示したトランジスタに供給される制御信号を示す波形図である。
【図９】第３実施形態に係る発光表示装置を示す図である。
【図１０】図９に示した発光制御線に供給される発光制御信号を示す波形図である。
【図１１】第４実施形態に係る発光表示装置を示す図である。
【図１２】第５実施形態に係る発光表示装置を示す図である。
【図１３】他の画素の実施形態を示す図である。
【図１４】画素の駆動方法を示す波形図である。
【符号の説明】
【０１３１】
１０，１１０    走査駆動部
２０，１２０    データ駆動部
３０，１３０    画像表示部
４０，１４０    画素
１４２    画素回路
５０，１５０    タイミング制御部
【図１】
2006184846.tif 000003
【図２】
2006184846.tif 000004
【図３】
2006184846.tif 000005
【図４】
2006184846.tif 000006
【図５】
2006184846.tif 000007
【図６】
2006184846.tif 000008
【図７】
2006184846.tif 000009
【図８】
2006184846.tif 000010
【図９】
2006184846.tif 000011
【図１０】
2006184846.tif 000012
【図１１】
2006184846.tif 000013
【図１２】
2006184846.tif 000014
【図１３】
2006184846.tif 000015
【図１４】
2006184846.tif 000016